(57)【要約】  端末装置において現実空間から認証対象を特定し、その認証対象についての関係者の意思を端末装置に対して反映させることができる認証システムを提供する。端末装置１においてアプリケーションを実行し、対象特定情報を取得することにより、現実空間から認証対象が特定され、その特定された認証対象に関する認証登録情報の照会が、端末装置１から認証サーバ２に要求される。この照会の要求を受け付けた認証サーバ２においては、端末装置１が実行するアプリケーションのアプリＩＤが予め記憶されているか否か、及び、特定された認証対象について、予め記憶されている認証登録情報を端末装置１に送信するか否かが確認される。そして、端末装置１が実行するアプリケーションのアプリＩＤが予め記憶されており、かつ、認証登録情報を送信すると予め記憶されている場合には、当該認証対象に関する認証登録情報を端末装置１に送信する。
2016190355.tif 000002
【特許請求の範囲】
【請求項１】
端末装置及び当該端末装置との間で通信可能な認証サーバを含む認証システムであって、
前記端末装置は、
認証対象を特定するための対象特定情報を取得する対象特定情報取得部と、
取得した前記対象特定情報に基づいて特定される認証対象に関する認証登録情報の照会を前記認証サーバに要求する照会要求部とを含むアプリケーションを実行し、
前記認証サーバは、
認証対象に関する認証登録情報を予め記憶している認証登録情報記憶部と、
前記端末装置が実行するアプリケーションごとに割り当てられた識別情報を予め記憶しているアプリケーション識別情報記憶部と、
認証対象ごとに認証登録情報を送信するか否かを予め記憶している送信要否記憶部と、
前記端末装置の前記照会要求部から認証登録情報の照会の要求を受け付けたときに、当該端末装置が実行するアプリケーションの識別情報が前記アプリケーション識別情報記憶部に記憶されており、かつ、認証登録情報の照会の要求を受け付けた認証対象について、認証登録情報を送信すると前記送信要否記憶部に記憶されている場合に、当該認証対象に関する認証登録情報を前記端末装置に送信する認証登録情報送信部とを備えることを特徴とする認証システム。
【請求項２】
前記端末装置は、
表示部と、
前記認証登録情報送信部から送信された認証登録情報を前記表示部の表示に反映させる表示制御部とを備えることを特徴とする請求項１に記載の認証システム。
【請求項３】
前記表示制御部は、前記認証登録情報送信部から送信された認証登録情報に基づいて、認証対象に対応する画像を前記表示部に表示させることを特徴とする請求項２に記載の認証システム。
【請求項４】
前記表示制御部は、前記認証登録情報送信部から送信された認証登録情報に基づいて、前記表示部の表示における認証対象に対応する部分に別の画像を表示させることを特徴とする請求項２に記載の認証システム。
【請求項５】
前記認証登録情報は、予め行われた審査に基づいて前記認証登録情報記憶部に記憶されることを特徴とする請求項１〜４のいずれかに記載の認証システム。
【請求項６】
前記認証サーバは、認証対象ごとに任意に変更可能な任意登録情報を記憶する任意登録情報記憶部をさらに備え、
前記認証登録情報送信部は、前記認証登録情報とともに前記任意登録情報を前記端末装置に送信することを特徴とする請求項５に記載の認証システム。
【請求項７】
前記端末装置は、画像を撮影するカメラをさらに備え、
前記対象特定情報取得部は、前記カメラにより撮影された撮影画像から前記対象特定情報を取得することを特徴とする請求項１〜６のいずれかに記載の認証システム。
【請求項８】
前記対象特定情報は、前記カメラにより撮影された撮影画像に含まれるマーカであることを特徴とする請求項７に記載の認証システム。
【請求項９】
前記マーカは、認証対象が角膜の上に装着するコンタクトレンズであることを特徴とする請求項８に記載の認証システム。
【請求項１０】
前記マーカは、認証対象の表面に固定されており、体表への刺青、スカリフィケーション、焼印又は凍結烙印を含むことを特徴とする請求項８に記載の認証システム。
【請求項１１】
音声を取得するマイクをさらに備え、
前記対象特定情報取得部は、前記マイクにより取得された声紋から前記対象特定情報を取得することを特徴とする請求項１〜８のいずれかに記載の認証システム。
【発明の詳細な説明】
【技術分野】
【０００１】
本発明は、端末装置及び当該端末装置との間で通信可能な認証サーバを含む認証システムに関するものである。
【背景技術】
【０００２】
コンピュータが作り出す仮想画像や文字情報などを現実空間に投影する技術として、ＡＲ（Augmented Reality：拡張現実）と呼ばれる技術が知られている。例えば、スマートフォンの表示画面に現実空間を表す静止画又は動画が表示されているときに、その現実空間の一部に仮想画像や文字情報を表示させれば、現実空間に付加情報が投影されることにより、拡張された現実空間をユーザに提供することができる。近年では、スマートグラス（頭部装着型表示装置）などへのＡＲ技術の応用も注目されている（例えば、下記特許文献１参照）。
【先行技術文献】
【特許文献】
【０００３】
【特許文献１】特開２０１４−１８６４３４号公報
【発明の概要】
【発明が解決しようとする課題】
【０００４】
ＡＲ技術を用いた現実空間に対する付加情報の投影は、現状、特段の制限なく行われている。そのため、現実空間における物体の所有者の了解を得ることなく、その物体に対応付けて付加情報が勝手に投影されるといったケースが頻繁に生じており、現実空間における関係者（個人、法人又は団体など）が不利益を被る場合があった。例えば、現実空間において特定の企業が所有する看板上に、競合他社の看板の画像が付加情報として投影された場合には、その看板を所有する企業の利益が損なわれるだけでなく、誤認によって看板を見た一般生活者の不利益にもなり得る。【０００５】
また、ＡＲ技術を用いた現実空間への付加情報の投影は、物体に対する投影だけでなく、人物に対する投影に応用される可能性がある。例えば、スマートグラスや、コミュニケーションロボット（人間との対話を通じて付加価値や多幸感を提供するロボット）に実装された顔認識技術によって顔認識対象者のプライバシーが侵害されるといったことも想定される。また、振り込め詐欺を図る犯罪者が、ＡＲ技術を悪用して警察官や銀行員などになりすますことにより、巧妙に犯罪を働くといったことも想定される。【０００６】
本発明は、上記実情に鑑みてなされたものであり、端末装置において現実空間から認証対象を特定し、その認証対象についての関係者の意思を端末装置に対して反映させることができる認証システムを提供することを目的とする。
【課題を解決するための手段】
【０００７】
（１）本発明に係る認証システムは、端末装置及び当該端末装置との間で通信可能な認証サーバを含む認証システムである。前記端末装置は、対象特定情報取得部と、照会要求部とを含むアプリケーションを実行する。前記対象特定情報取得部は、認証対象を特定するための対象特定情報を取得する。前記照会要求部は、取得した前記対象特定情報に基づいて特定される認証対象に関する認証登録情報の照会を前記認証サーバに要求する。前記認証サーバは、認証登録情報記憶部と、アプリケーション識別情報記憶部と、送信要否記憶部と、認証登録情報送信部とを備える。前記認証登録情報記憶部は、認証対象に関する認証登録情報を予め記憶している。前記アプリケーション識別情報記憶部は、前記端末装置が実行するアプリケーションごとに割り当てられた識別情報を予め記憶している。前記送信要否記憶部は、認証対象ごとに認証登録情報を送信するか否かを予め記憶している。前記認証登録情報送信部は、前記端末装置の前記照会要求部から認証登録情報の照会の要求を受け付けたときに、当該端末装置が実行するアプリケーションの識別情報が前記アプリケーション識別情報記憶部に記憶されており、かつ、認証登録情報の照会の要求を受け付けた認証対象について、認証登録情報を送信すると前記送信要否記憶部に記憶されている場合に、当該認証対象に関する認証登録情報を前記端末装置に送信する。【０００８】
このような構成によれば、端末装置においてアプリケーションを実行し、対象特定情報を取得することにより、現実空間から認証対象が特定され、その特定された認証対象に関する認証登録情報の照会が、端末装置から認証サーバに要求される。この照会の要求を受け付けた認証サーバにおいては、端末装置が実行するアプリケーションの識別情報が予め記憶されているか否か、及び、特定された認証対象について、予め記憶されている認証登録情報を端末装置に送信するか否かが確認される。そして、端末装置が実行するアプリケーションの識別情報が予め記憶されており、かつ、認証登録情報を送信すると予め記憶されている場合には、当該認証対象に関する認証登録情報を端末装置に送信する。したがって、認証対象についての関係者が、アプリケーションの識別情報、及び、その認証対象に関する認証登録情報を送信するか否かを認証サーバに予め記憶しておけば、そのアプリケーションを用いて認証登録情報の照会の要求が行われた場合にのみ、当該関係者の意思に応じて認証登録情報を送信することができる。これにより、認証対象についての関係者が意図しないアプリケーションを実行する端末装置に認証登録情報が送信されるのを防止し、当該関係者の意思を端末装置に対して反映させることができる。【０００９】
（２）前記端末装置は、表示部と、前記認証登録情報送信部から送信された認証登録情報を前記表示部の表示に反映させる表示制御部とを備えていてもよい。【００１０】
このような構成によれば、現実空間から特定された認証対象に関する認証登録情報が、認証サーバから端末装置に送信され、当該端末装置の表示部の表示に反映される。これにより、認証対象についての関係者の意思を端末装置の表示部の表示に反映させることができる。このように、認証登録情報を送信すると予め記憶されている認証対象に関する認証登録情報のみを端末装置に送信して、その認証登録情報を表示部の表示に反映させることにより、現実空間における関係者が不利益を被るのを防止することができる。また、表示制御部は端末装置とネットワークを介して接続するスマートフォンやＰＣに送信された認証登録情報を表示することもできる。【００１１】
（３）前記表示制御部は、前記認証登録情報送信部から送信された認証登録情報に基づいて、認証対象に対応する画像を前記表示部に表示させてもよい。【００１２】
このような構成によれば、認証対象についての関係者の意思に沿って、当該認証対象に対応する画像を表示部に表示させることができる。これにより、現実空間に対して付加情報を投影し、なりすましなどを防止することができるため、現実空間における関係者が不利益を被るのを防止することができる。前記画像は、静止画でもよいし、動画でもよい。【００１３】
（４）前記表示制御部は、前記認証登録情報送信部から送信された認証登録情報に基づいて、前記表示部の表示における認証対象に対応する部分に別の画像を表示させてもよい。【００１４】
このような構成によれば、認証対象についての関係者の意思に沿って、表示部の表示における当該認証対象に対応する部分に別の画像を表示させることができる。これにより、認証対象に対応する部分が表示部に表示されることによって、現実空間における関係者が不利益を被るのを防止することができる。前記別の画像は、静止画でもよいし、動画でもよい。【００１５】
（５）前記認証登録情報は、予め行われた審査に基づいて前記認証登録情報記憶部に記憶されてもよい。【００１６】
このような構成によれば、予め審査を行うことによって、信頼性の高い認証登録情報を認証サーバに記憶し、その認証登録情報を端末装置からの要求に応じて送信することができるため、なりすましなどを効果的に防止することができる。【００１７】
（６）前記認証サーバは、認証対象ごとに任意に変更可能な任意登録情報を記憶する任意登録情報記憶部をさらに備えていてもよい。この場合、前記認証登録情報送信部は、前記認証登録情報とともに前記任意登録情報を前記端末装置に送信してもよい。【００１８】
このような構成によれば、予め行われた審査に基づいて認証サーバに記憶される認証登録情報とは別に、認証対象についての関係者が任意に変更可能な任意登録情報を認証サーバに記憶させ、当該任意登録情報を認証登録情報とともに端末装置に送信することができる。したがって、認証対象についての関係者の意思を端末装置に対してさらに効果的に反映させることができる。前記認証登録情報は送信せずに、前記任意登録情報のみを前記端末装置に送信することも可能である。【００１９】
（７）前記端末装置は、画像を撮影するカメラをさらに備えていてもよい。この場合、前記対象特定情報取得部は、前記カメラにより撮影された撮影画像から前記対象特定情報を取得してもよい。【００２０】
このような構成によれば、端末装置のカメラで撮影された撮影画像から対象特定情報が取得され、その対象特定情報に基づいて現実空間から認証対象が特定される。この端末装置に対して認証サーバから認証登録情報を送信すれば、認証対象についての関係者の意思をカメラで撮影された撮影画像に対して反映させることができる。【００２１】
（８）前記対象特定情報は、前記カメラにより撮影された撮影画像に含まれるマーカであってもよい。【００２２】
このような構成によれば、カメラにより撮影された撮影画像に含まれるマーカを対象特定情報として取得し、その対象特定情報に基づいて現実空間から認証対象を確実に特定することができる。
【発明の効果】
【００２３】
本発明によれば、端末装置において対象特定情報を取得することにより、現実空間から認証対象を特定することができるとともに、認証対象についての関係者が、アプリケーションの識別情報、及び、その認証対象に関する認証登録情報を送信するか否かを認証サーバに予め記憶しておけば、当該関係者の意思を端末装置に対して反映させることができる。
【図面の簡単な説明】
【００２４】
【図１】本発明の一実施形態に係る認証システムの構成例を示したブロック図である。
【図２】端末装置の制御部の具体的構成を示したブロック図である。
【図３】認証サーバの制御部の具体的構成を示したブロック図である。
【図４】認証登録情報を送信する際の認証サーバの制御部による処理の一例を示したフローチャートである。
【図５Ａ】認証対象が人物である場合の端末装置の表示部に対する画像の表示例を示した概略図である。
【図５Ｂ】認証対象が人物である場合の端末装置の表示部に対する画像の別の表示例を示した概略図である。
【図６】認証対象が物体である場合の端末装置の表示部に対する画像の表示例を示した概略図である。
【発明を実施するための形態】
【００２５】
１．認証システムの全体的構成
図１は、本発明の一実施形態に係る認証システムの構成例を示したブロック図である。本実施形態に係る認証システムには、複数の端末装置１、及び、これらの端末装置１との間で通信可能な認証サーバ２が含まれる。これらの端末装置１及び認証サーバ２は、例えばインターネットなどのネットワークＮを介して、有線又は無線により互いに通信可能となっている。
【００２６】
端末装置１は、制御部１１、通信部１２、操作部１３、表示部１４、カメラ１５及びマイク１６を備えている。端末装置１は、パーソナルコンピュータ、スマートフォン、タブレットコンピュータ、ロボット又はスマートグラスなどにより構成され、当該認証システムのユーザによって使用される。制御部１１は、通信部１２を介してネットワークＮに接続可能であり、当該ネットワークＮを介して認証サーバ２との間でデータの送受信を行うことができる。
【００２７】
操作部１３は、例えばタッチキー又はポインティングデバイスにより構成される。表示部１４は、例えば液晶表示器により構成される。ただし、操作部１３及び表示部１４は、タッチパネルとして一体的に構成されていてもよい。カメラ１５は、画像を撮影するためのデバイスであり、撮影画像として静止画又は動画を撮影することができる。マイク１６は、音声を取得するためのデバイスである。本実施形態では、マイク１６が端末装置１に備えられた構成を示しているが、これに限らず、例えば端末装置１に組み込まれていない外部装置としてのマイクから、有線通信又は無線通信により音声を取得できるような構成であってもよい。
【００２８】
認証サーバ２は、制御部２１、通信部２２及び記憶部２３を備えている。制御部２１は、通信部２２を介してネットワークＮに接続可能であり、当該ネットワークＮを介して各端末装置１との間でデータの送受信を行うことができる。記憶部２３は、例えばハードディスク及びＲＡＭ（Random Access Memory）により構成されている。制御部２１は、記憶部２３に対してデータの入出力を行う。
【００２９】
本実施形態では、現実空間における物体、人物又は空間などを認証対象として、当該認証対象に関する情報が予め認証サーバ２に登録されている。認証対象に関する情報としては、例えば名前、住所、血液型、勤務先、出身校又は資格・免許などの個人情報を含む認証登録情報の他、一時的ステータス又はスタンプなどを例示することができる。一時的ステータスとは、例えば「急いでいる」、「支払い済みである」、「商品情報を知りたい」などといったユーザの一時的な状態である。
【００３０】
認証登録情報は、例えば現実空間における認証対象についての関係者（個人、法人又は団体など）からの届出に基づいて、認証サーバ２の記憶部２３に登録される。認証サーバ２への認証登録情報の登録の際には、予め審査が行われ、その審査によって信頼性が高いと評価された認証登録情報のみが認証サーバ２に登録される。
【００３１】
認証サーバ２に登録された認証登録情報は、端末装置１から認証サーバ２に対して照会することができる。例えば、端末装置１のカメラ１５により撮影された撮影画像に含まれる認証対象について、その認証対象に関する認証登録情報の照会を認証サーバ２に要求することにより、当該認証登録情報が認証サーバ２から端末装置１に送信される。認証サーバ２には、当該認証サーバ２から認証登録情報を送信する端末装置１が実行するアプリケーションの識別情報（アプリＩＤ）が、認証対象についての関係者からの届出に基づいて予め登録され、当該アプリＩＤに従って認証登録情報が各端末装置１に送信される。
【００３２】
２．端末装置の制御部の具体的構成
図２は、端末装置１の制御部１１の具体的構成を示したブロック図である。制御部１１は、例えばＣＰＵ（Central Processing Unit）を含む構成であり、ＣＰＵがアプリケーションを実行することにより、対象特定情報取得部１１１、照会要求部１１２及び表示制御部１１３などとして機能する。上記アプリケーションは、端末装置１のユーザによる操作部１３の操作に基づいて、端末装置１にインストールすることができる。
【００３３】
対象特定情報取得部１１１は、認証対象を特定するための対象特定情報を取得する。対象特定情報は、認証対象自体が有するものから得られる情報であってもよいし、認証対象が発生するものから得られる情報であってもよい。例えば、認証対象が物体である場合には、当該物体に設けられた二次元コードなどのコードや、当該物体から発信される無線信号又は赤外線などから得られる情報が、対象特定情報を構成していてもよい。また、認証対象が人物である場合には、当該人物の顔、指紋、耳の穴の形状又は声紋などから得られる生体認証情報が、対象特定情報を構成していてもよい。
【００３４】
本実施形態では、対象特定情報取得部１１１が、カメラ１５により撮影された撮影画像、又は、マイク１６により取得された声紋から対象特定情報を取得するようになっている。カメラ１５により撮影される撮影画像が物体である場合には、対象特定情報取得部１１１が、例えば当該物体に設けられたコードを読み取るコード読取部や、物体から発信される無線信号又は赤外線を受信する無線信号受信部又は赤外線受信部などにより構成される。また、カメラ１５により撮影される撮影画像が人物である場合には、対象特定情報取得部１１１が、例えば当該人物の顔、指紋又は声紋を認証する顔認証処理部、指紋認証処理部又は声紋認証処理部により構成される。ただし、対象特定情報取得部１１１は、上記のような構成に限られるものではなく、例えばＧＰＳ信号を受信するＧＰＳ受信部などの他の機構により構成されていてもよい。
【００３５】
このように、対象特定情報取得部１１１で対象特定情報を取得することにより、認証対象を特定することができる。すなわち、カメラ１５により撮影される撮影画像に複数の物体、人物又は空間が含まれている場合であっても、対象特定情報を取得した物体、人物又は空間を認証対象として特定することができる。また、認証対象として特定された物体、人物又は空間の境界線を認定することも可能である。
【００３６】
照会要求部１１２は、取得した対象特定情報に基づいて特定される認証対象に関する認証登録情報の照会を認証サーバ２に要求する。具体的には、取得した対象特定情報から得られる認証対象の識別情報が、照会要求部１１２から通信部１２を介して認証サーバ２に送信されることにより、当該認証対象の照会の要求が行われる。
【００３７】
表示制御部１１３は、表示部１４の表示を制御する。照会要求部１１２から認証サーバ２に認証登録情報の照会が要求され、認証サーバ２から端末装置１に認証登録情報が送信された場合には、当該認証登録情報を表示部１４の表示に反映させる処理が表示制御部１１３により行われる。したがって、例えばカメラ１５により撮影された現実空間の撮影画像に、ＡＲ技術を用いて認証登録情報に基づく付加情報を投影させれば、拡張された現実空間を提供することができる。
【００３８】
３．認証サーバの制御部の具体的構成
図３は、認証サーバ２の制御部２１の具体的構成を示したブロック図である。制御部２１は、例えばＣＰＵを含む構成であり、ＣＰＵがプログラムを実行することにより、照会要求受付部２１１及び認証登録情報送信部２１２などとして機能する。
【００３９】
照会要求受付部２１１は、端末装置１からの認証登録情報の照会を受け付ける。具体的には、通信部２２を介して、対象特定情報から得られた認証対象の識別情報を端末装置１から受信することにより、当該認証対象に関する認証登録情報の照会が照会要求受付部２１１により受け付けられる。
【００４０】
認証登録情報送信部２１２は、照会要求受付部２１１により認証登録情報の照会の要求を受け付けた認証対象について、当該認証対象に関する認証登録情報を端末装置１に送信する。具体的には、記憶部２３に記憶されている認証登録情報が、認証登録情報送信部２１２から通信部２２を介して端末装置１に送信される。
【００４１】
記憶部２３には、認証登録情報の他に、任意登録情報、アプリＩＤ及び送信要否などの情報が、認証対象ごとに対応付けて記憶されている。任意登録情報は、予め審査を行うことなくユーザが任意に変更可能な認証対象に関する情報であって、上述した一時的ステータスなどのように、例えば認証登録情報よりも頻繁に更新される情報からなる。アプリＩＤは、端末装置１が実行するアプリケーションごとに割り当てられた識別情報である。送信要否の情報は、予め設定された認証登録情報を送信するか否かの情報である。
【００４２】
このように、記憶部２３は、認証対象に関する認証登録情報を予め記憶している認証登録情報記憶部、認証対象ごとに認証登録情報を送信するか否かを予め記憶している送信要否記憶部、及び、アプリＩＤを予め記憶しているアプリケーション識別情報記憶部を構成している。ただし、認証登録情報記憶部、送信要否記憶部及びアプリケーション情報記憶部は、１つの記憶部２３の記憶領域に割り当てられた構成に限らず、例えば少なくとも１つが別の記憶部により構成されていてもよい。
【００４３】
４．認証登録情報を送信する際の動作
図４は、認証登録情報を送信する際の認証サーバ２の制御部２１による処理の一例を示したフローチャートである。
【００４４】
認証サーバ２の照会要求受付部２１１が、端末装置１の照会要求部１１２から認証登録情報の照会の要求を受け付けた場合には（ステップＳ１０１でＹｅｓ）、その端末装置１が実行するアプリケーションのアプリＩＤが記憶部２３に記憶されているか否かが確認される（ステップＳ１０２）。具体的には、認証対象の照会の要求が行われる際に端末装置１の照会要求部１１２から送信される認証対象の識別情報及びアプリＩＤに基づいて、当該認証対象に関する認証登録情報と対応付けて記憶部２３に当該アプリＩＤが記憶されているか否かが確認される。
【００４５】
そして、端末装置１が実行するアプリケーションのアプリＩＤが記憶部２３に登録されている場合には（ステップＳ１０２でＹｅｓ）、照会が要求されている認証対象について、認証登録情報を送信すると記憶部２３に記憶されているか否かが確認される（ステップＳ１０３）。具体的には、認証対象の照会の要求が行われる際に端末装置１の照会要求部１１２から送信される認証対象の識別情報に基づいて、当該認証対象に関する認証登録情報と対応付けて記憶部２３に記憶されている送信要否の情報が確認される。
【００４６】
その結果、認証登録情報を送信すると記憶部２３に記憶されている場合には（ステップＳ１０３でＹｅｓ）、認証サーバ２の認証登録情報送信部２１２から端末装置１に認証登録情報が送信される（ステップＳ１０４）。具体的には、認証対象の照会の要求が行われる際に端末装置１の照会要求部１１２から送信される認証対象の識別情報に基づいて、当該認証対象に関する認証登録情報が記憶部２３から読み出され、端末装置１へと送信される。認証登録情報を送信する際、当該認証登録情報に対応付けて任意登録情報が記憶部２３に記憶されている場合には、認証登録情報とともに任意登録情報が端末装置１に送信される。
【００４７】
一方、端末装置１が実行するアプリケーションのアプリＩＤが記憶部２３に登録されていない場合や（ステップＳ１０２でＮｏ）、認証登録情報を送信すると記憶部２３に記憶されていない場合には（ステップＳ１０３でＮｏ）、照会の要求を受け付けた端末装置１に対する認証登録情報の送信は行われない。なお、認証登録情報に含まれる各種情報ごとに、端末装置１に送信するか否かを個別に設定できるような構成であってもよい。
【００４８】
５．認証対象が人物である場合の表示例
図５Ａは、認証対象が人物である場合の端末装置１の表示部１４に対する画像の表示例を示した概略図である。この例では、端末装置１のカメラ１５により撮影された現実空間の撮影画像３に、認証対象としての人物３１が含まれている。
【００４９】
端末装置１の対象特定情報取得部１１１は、例えば顔認証処理部としての機能に基づいて、現実空間の撮影画像３に含まれる人物３１を認証対象として特定する。このとき、人物３１の顔が、認証対象を特定するための対象特定情報であり、カメラ１５により撮影された撮影画像３に含まれるマーカ３２を構成している。端末装置１の照会要求部１１２は、マーカ３２に基づいて特定される人物３１に関する認証登録情報の照会を認証サーバ２に要求し、認証サーバ２の認証登録情報送信部２１２は、上述した所定の条件を満たす場合に、当該人物３１に関する認証登録情報を端末装置１に送信する。顔認証以外のマーカ３２としては、例えば認証対象が角膜の上に装着するコンタクトレンズであってもよいし、体表への刺青、スカリフィケーション、焼印又は凍結烙印などのように、認証対象の表面に固定されたものであってもよい。
【００５０】
この例では、認証サーバ２から端末装置１に送信された認証登録情報に基づいて、認証対象に対応する画像３３が表示部１４に表示される。この画像３３としては、例えば人物３１の名前、住所、血液型、勤務先、出身校又は資格・免許などのように、予め行われた審査に基づいて登録された情報を例示することができる。また、認証登録情報とともに認証サーバ２から端末装置１に送信される任意登録情報に基づいて、一時的ステータスなどのユーザが任意に変更可能な情報も画像３３として表示部１４に表示されてもよい。このように、撮影画像３に含まれる人物３１に対応付けて画像３３を表示させることにより、ＡＲ技術を用いた現実空間に対する付加情報の投影を行うことができる。
【００５１】
図５Ｂは、認証対象が人物である場合の端末装置１の表示部１４に対する画像の別の表示例を示した概略図である。この例では、図５Ａの例と同様に、端末装置１のカメラ１５により撮影された現実空間の撮影画像３に、認証対象としての人物３１が含まれている。
【００５２】
この例では、認証サーバ２から端末装置１に送信された認証登録情報に基づいて、表示部１４の表示における認証対象に対応する部分に別の画像３４が表示される。この画像３４は、例えば撮影画像３に含まれる人物３１の顔を隠すための画像である。このように、ＡＲ技術を用いた現実空間に対する画像３４の表示によって、現実空間における人物３１を保護することも可能である。
【００５３】
一方、認証サーバ２から端末装置１に送信された認証登録情報に基づいて、表示部１４に表示された撮影画像３における人物３１の画像の変更が禁止されてもよい。具体的には、端末装置１側で撮影画像３に対する画像の変更が行われようとした場合に、人物３１の画像に対する変更が受け付けられないようにして、現実空間における人物３１を保護してもよい。
【００５４】
６．認証対象が物体である場合の表示例
図６は、認証対象が物体である場合の端末装置１の表示部１４に対する画像の表示例を示した概略図である。この例では、端末装置１のカメラ１５により撮影された現実空間の撮影画像４に、認証対象としての物体４１が含まれている。物体４１は、図６に示すような建物であってもよいし、建物以外の各種物体であってもよい。
【００５５】
端末装置１の対象特定情報取得部１１１は、例えば画像処理部としての機能に基づいて、現実空間の撮影画像４に含まれる物体４１を認証対象として特定する。このとき、現実空間の物体４１に予め設けられているマーカ４２が、認証対象を特定するための対象特定情報を構成しており、カメラ１５により撮影された撮影画像４に含まれるマーカ４２の画像を識別することによって、物体４１が認証対象として特定される。端末装置１の照会要求部１１２は、マーカ４２に基づいて特定される物体４１に関する認証登録情報の照会を認証サーバ２に要求し、認証サーバ２の認証登録情報送信部２１２は、上述した所定の条件を満たす場合に、当該物体４１に関する認証登録情報を端末装置１に送信する。
【００５６】
この例では、認証サーバ２から端末装置１に送信された認証登録情報に基づいて、認証対象に対応する画像４３が表示部１４に表示される。この画像４３としては、例えば広告、告知又は装飾画像などを例示することができる。このように、撮影画像４に含まれる物体４１に対応付けて画像４３を表示させることにより、ＡＲ技術を用いた現実空間に対する付加情報の投影を行うことができる。
【００５７】
一方、認証サーバ２から端末装置１に送信された認証登録情報に基づいて、表示部１４に表示された撮影画像４における物体４１の画像の変更が禁止されてもよい。具体的には、端末装置１側で撮影画像４に対する画像の変更が行われようとした場合に、物体４１の画像に対する変更が受け付けられないようにして、現実空間における物体４１を保護してもよい。
【００５８】
７．作用効果
（１）本実施形態では、端末装置１においてアプリケーションを実行し、対象特定情報を取得することにより、現実空間から認証対象が特定され、その特定された認証対象に関する認証登録情報の照会が、端末装置１から認証サーバ２に要求される。この照会の要求を受け付けた認証サーバ２においては、端末装置１が実行するアプリケーションのアプリＩＤが予め記憶されているか否か、及び、特定された認証対象について、予め記憶されている認証登録情報を端末装置１に送信するか否かが確認される。そして、端末装置１が実行するアプリケーションのアプリＩＤが予め記憶されており、かつ、認証登録情報を送信すると予め記憶されている場合には、当該認証対象に関する認証登録情報を端末装置１に送信する。したがって、認証対象についての関係者が、アプリＩＤ、及び、その認証対象に関する認証登録情報を送信するか否かを認証サーバ２に予め記憶しておけば、そのアプリケーションを用いて認証登録情報の照会の要求が行われた場合にのみ、当該関係者の意思に応じて認証登録情報を送信することができる。これにより、認証対象についての関係者が意図しないアプリケーションを実行する端末装置１に認証登録情報が送信されるのを防止し、当該関係者の意思を端末装置１に対して反映させることができる。
【００５９】
（２）本実施形態では、現実空間から特定された認証対象に関する認証登録情報が、認証サーバ２から端末装置１に送信され、当該端末装置１の表示部１４の表示に反映される。これにより、認証対象についての関係者の意思を端末装置１の表示部１４の表示に反映させることができる。このように、認証登録情報を送信すると予め記憶されている認証対象に関する認証登録情報のみを端末装置１に送信して、その認証登録情報を表示部１４の表示に反映させることにより、現実空間における関係者が不利益を被るのを防止することができる。
【００６０】
（３）本実施形態では、図５Ａ、図５Ｂ及び図６に例示されるように、認証対象についての関係者の意思に沿って、当該認証対象に対応する画像３３，４３を表示部１４に表示させることができる。これにより、現実空間に対して付加情報を投影し、なりすましなどを防止することができるため、現実空間における関係者が不利益を被るのを防止することができる。
【００６１】
（４）一方、認証対象についての関係者の意思に沿って、表示部１４の表示における当該認証対象に対応する部分に別の画像３４を表示させた場合には、認証対象に対応する部分が表示部１４に表示されることによって、現実空間における関係者が不利益を被るのを防止することができる。
【００６２】
（５）本実施形態では、予め審査を行うことによって、信頼性の高い認証登録情報を認証サーバ２に記憶し、その認証登録情報を端末装置１からの要求に応じて送信することができるため、なりすましなどを効果的に防止することができる。
【００６３】
（６）本実施形態では、予め行われた審査に基づいて認証サーバ２に記憶される認証登録情報とは別に、認証対象についての関係者が任意に変更可能な任意登録情報を認証サーバ２に記憶させ、当該任意登録情報を認証登録情報とともに端末装置１に送信することができる。したがって、認証対象についての関係者の意思を端末装置１に対してさらに効果的に反映させることができる。
【００６４】
（７）本実施形態では、図５Ａ、図５Ｂ及び図６に例示されるように、端末装置１のカメラ１５で撮影された撮影画像３，４から対象特定情報が取得され、その対象特定情報に基づいて現実空間から認証対象が特定される。この端末装置１に対して認証サーバ２から認証登録情報を送信すれば、認証対象についての関係者の意思をカメラ１５で撮影された撮影画像３，４に対して反映させることができる。
【００６５】
（８）本実施形態では、カメラ１５により撮影された撮影画像３，４に含まれるマーカ３２，４２を対象特定情報として取得し、その対象特定情報に基づいて現実空間から認証対象を確実に特定することができる。
【００６６】
８．変形例
以上の実施形態では、端末装置１が、例えばパーソナルコンピュータ、スマートフォン、タブレットコンピュータ又はコミュニケーションロボット（人間との対話を通じて付加価値や多幸感を提供するロボット）などのように、操作部１３及び表示部１４を備えた構成である場合について説明した。しかし、このような構成に限らず、端末装置１は、例えばスマートグラスなどのように、表示部１４のみを備えた構成であってもよい。この場合、端末装置１に対する動作指示は、例えば音声信号などのように、操作信号以外の信号が端末装置１に入力されることにより行われてもよい。
【符号の説明】
【００６７】
１    端末装置
２    認証サーバ
３，４  撮影画像
１１    制御部
１２    通信部
１３    操作部
１４    表示部
１５    カメラ
２１    制御部
２２    通信部
２３    記憶部
３１    人物
３２，４２  マーカ
３３，３４，４３  画像
４１    物体
１１１    対象特定情報取得部
１１２    照会要求部
１１３    表示制御部
２１１    照会要求受付部
２１２    認証登録情報送信部
【図１】
2016190355.tif 000003
【図２】
2016190355.tif 000004
【図３】
2016190355.tif 000005
【図４】
2016190355.tif 000006
【図５Ａ】
2016190355.tif 000007
【図５Ｂ】
2016190355.tif 000008
【図６】
2016190355.tif 000009
【国際調査報告】
2016190355.tif 000010
2016190355.tif 000011
2016190355.tif 000012
2016190355.tif 000013